(57)【要約】【課題】トレイの出し入れをよりスムーズにでき、従来よりも収納スペースを大きくすることができる収納ユニットを提供する。【解決手段】本発明の収納キャビネット(1)は、対向する横パネル(2c,2d)と、横パネル(2c,2d)の間の空間(6)で出し入れされるトレイ(4)を有する。横パネル(2c,2d)は、前後方向(A3)に延び且つ空間(6)を挟んで対向する溝レール(8)を有し、溝レール(8)は、対向する上面(8b)及び下面(c)を有する。トレイ(4)は、横パネル(2c,2d)に面する側面(10f,10d)と、この側面(10f,10d)から突出し且つ溝レール(8)に挿入される突起部(12,14)を有する。突起部(12,14)は、上下方向(A1)に突張ることによって溝レール(8)の上面(8b)及び下面(8c)に係止可能な係止部(16a,16b)を、前後方向(A3)に少なくとも２箇所有する。【選択図】図２
2008125635.tif 000002
【特許請求の範囲】
【請求項１】
出し入れ可能なトレイを有する収納ユニットであって、
左右方向に互いに対向する横パネルと、
前記横パネルの間の空間で前後方向に出し入れされるトレイと、を有し、
前記横パネルは、前後方向に延び且つ前記空間を挟んで互いに対向する溝レールを有し、前記溝レールの各々は、互いに上下方向に対向する上面及び下面を有し、
前記トレイは、その左右方向の各側において、前記横パネルに面する側面と、前記側面から突出し且つ前記溝レールに前後方向に挿入される突起部と、を有し、前記突起部は、上下方向に突張ることによって前記溝レールの上面及び下面に係止可能な係止部を、前後方向に少なくとも２箇所有することを特徴とする収納ユニット。
【請求項２】
前記係止部の各々は、前記側面に連結され且つ前記溝レールの下面に押付けられる固定部分と、前記固定部分から前方斜め上方に延び且つ前記固定部分に対して撓み可能に前記溝レールの上面に押付けられる撓み部分と、を有することを特徴とする請求項１に記載の収納ユニット。
【請求項３】
前側の前記係止部の突張りによる係止力は、後側の前記係止部の突張りによる係止力よりも大きいことを特徴とする請求項１又は２に記載の収納ユニット。
【請求項４】
前記撓み部分が前記固定部分から斜め上方に延びる傾斜は、前側の前記係止部の傾斜が後側の前記係止部の傾斜よりも大きいことを特徴とする請求項２に記載の収納ユニット。
【請求項５】
前記トレイの後端から後側の前記係止部までの前後方向距離は、前記トレイの前端から前側の前記係止部までの前後方向距離よりも長いことを特徴とする請求項１〜４のいずれか１項に記載の収納ユニット。
【発明の詳細な説明】
【技術分野】
【０００１】
本発明は、収納ユニットに関し、更に詳細には、トレイを出し入れすることができる収納ユニットに関する。
【背景技術】
【０００２】
従来から、トレイを出し入れすることができる収納キャビネットが知れられている（例えば、特許文献１参照）。収納キャビネットは、例えば、洗面台の上方に配置される鏡付き収納キャビネットである。かかる収納キャビネットを、特許文献１に記載されている収納キャビネットを参照しながら説明する。図５は、従来技術の収納キャビネットの部分拡大図である。
【０００３】
図５に示すように、収納キャビネット５０は、左右方向に互いに対向する横パネル５２と、横パネル５２の後部を連結する背面パネル５４とを有している。横パネル５２には、溝レール５６が設けられ、溝レール５６に嵌合する横突起部５８を有するトレイ６０が、溝レール５６に挿入されている。また、背面パネル５４には、凸部６２が設けられ、トレイ６０の後部の後突起部６４が凸部６２と凸部６２との間の凹部６６に嵌合している。横突起部５８には、トレイ６０を溝レール５６に係止させるための突張り要素６８が設けられている。
【０００４】
この収納キャビネット５０では、トレイ６０を収納キャビネット５６に入れたとき、トレイ６０の横突起部５８の突張り要素６８によって、トレイ６０が収納キャビネット５０から抜出すことを防止している。また、横突起部５８の突張り要素６８とトレイ６０の後突起部６４とによって、トレイ６０を収納キャビネット５０に対してがたつきがないように係止している。
【０００５】
【特許文献１】特開２００３−２７５０４４号公報
【発明の開示】
【発明が解決しようとする課題】
【０００６】
上述したように、収納キャビネット５０では、トレイ６０が収納キャビネット５０から抜出すことを防止するために、突張り要素６８が設けられている。このため、トレイ６０を収納キャビネット５０に入れるとき、突張り要素６８が溝レール５６に達するまでは、トレイ６０を容易に移動させることができるが、突張り要素６８が溝レール５６に入った後、急に、トレイ６０を移動させにくくなることがある。また、突張り要素６８が溝レール５６に入った状態において、トレイ６０を引出しにくいことがある。また、トレイ６０を収納キャビネット５０に装着し且つトレイ６０の内部に物を収納している状態において、トレイ６０のがたつきを防ぐためには、溝レール５６に対する突張り要素６８の突張りによる係止力を強くしなければならない。そのため、トレイ６０を出し入れするときに大きな力が必要となり、使い勝手が悪くなるという課題があった。
【０００７】
一方、トレイ６０をより安定的に固定するために、背面パネル５４にも嵌合凹部６６を設けており、さらに、この嵌合凹部６６は、トレイ６０の配置位置を使用者が選択できるように、多数の凸部６２を背面パネル５４に設けることによって形成されているので、収納キャビネット５０の収納スペースが凸部６２によって小さくなっていたという課題があった。
【０００８】
そこで、本発明の目的は、トレイの前後の傾きやがたつきを小さく抑えることができ、トレイの出し入れをよりスムーズにでき、従来よりも収納スペースを大きくすることができる収納ユニットを提供することにある。
【課題を解決するための手段】
【０００９】
上記目的を達成するために、本発明による収納ユニットは、出し入れ可能なトレイを有する収納ユニットであって、左右方向に互いに対向する横パネルと、横パネルの間の空間で前後方向に出し入れされるトレイと、を有し、横パネルは、前後方向に延び且つ上記空間を挟んで互いに対向する溝レールを有し、溝レールの各々は、互いに上下方向に対向する上面及び下面を有し、トレイは、その左右方向の各側において、横パネルに面する側面と、側面から突出し且つ溝レールに前後方向に挿入される突起部と、を有し、突起部は、上下方向に突張ることによって溝レールの上面及び下面に係止可能な係止部を、前後方向に少なくとも２箇所有することを特徴としている。
【００１０】
このように構成された収納ユニットでは、係止部が前後に設けられているので、トレイが抜出さないようにトレイを係止するための力を、少なくとも２箇所の係止部に分配すことができる。それにより、一つの係止部の突張り力を小さくすることができ、トレイの出し入れのときに必要な力の大きさの変化が小さくなる。それにより、トレイの出し入れをスムーズにすることができる。
【００１１】
また、係止部が前後方向に少なくとも２箇所設けられているので、従来技術の収納ユニットに必要であった、背面パネル５４の凸部６２を形成することなく、トレイの前後の傾きやがたつきを小さく抑えることができるとともに、従来よりも収納スペースを大きくすることができる。
【００１２】
本発明による収納ユニットの実施形態において、好ましくは、係止部の各々は、側面に連結され且つ溝レールの下面に押付けられる固定部分と、固定部分から前方斜め上方に延び且つ固定部分に対して撓み可能に溝レールの上面に押付けられる撓み部分と、を有する。
【００１３】
本発明による収納ユニットの実施形態において、好ましくは、前側の係止部の突張りによる係止力は、後側の係止部の突張りによる係止力よりも大きい。
【００１４】
また、固定部分と撓み部分とを有する実施形態において、好ましくは、撓み部分が固定部分から斜め上方に延びる傾斜は、前側の係止部の傾斜が後側の係止部の傾斜よりも大きい。
【００１５】
また、本発明による収納ユニットの実施形態において、好ましくは、トレイの後端から後側の係止部までの前後方向距離は、トレイの前端から前側の係止部までの前後方向距離よりも長い。
【発明の効果】
【００１６】
以上説明したように、本発明による収納ユニットは、トレイの前後の傾きやがたつきを小さく抑えることができ、トレイの出し入れをよりスムーズにでき、従来よりも収納スペースを大きくすることができる。
【発明を実施するための最良の形態】
【００１７】
次に、図１〜図４を参照して、本発明による収納ユニットの実施形態を説明する。図１は、本発明の実施形態である洗面化粧台用収納キャビネットの斜視図である。また、図２は、トレイの斜視図であり、図３は、トレイの平面図であり、図４は、トレイの側面図である。
【００１８】
本明細書において、「上」、「下」、「左」、「右」の方向は、洗面化粧台の使用者から見た方向であり、また、使用者から見て手前側を「前」と称し、奥側を「後」と称する。
【００１９】
図１に示すように、本発明による収納ユニットの実施形態である収納キャビネット１は、洗面化粧台と共に使用され、一般的には、洗面ボウルの上方に配置される。また、収納キャビネットの前面には、ヒンジによって開閉可能な鏡や前パネルが取付けられるが、図１ではそれらを省略している。
【００２０】
収納キャビネット１は、上下方向Ａ１に間隔をおいて左右方向Ａ２に互いに平行に延びる底パネル２ａ及び上パネル２ｂと、底パネル２ａと上パネル２ｂとを連結する複数の横パネル２ｃ〜２ｆと、これらのパネル２ａ〜２ｆの後部に連結された背面パネル２ｇとを有している。上パネル２ｂは、蛍光灯が取付けられるように構成されている。横パネル２ｃ〜２ｆは、左右方向Ａ２に互いに対向し、本実施形態では、両側に位置する左パネル２ｃ及び右パネル２ｆと、それらの間に配置された２枚の仕切りパネル２ｄ、２ｅとからなっている。これらのパネル２ａ〜２ｇは、樹脂で一体に成形されることが好ましい。背面パネル２ｇの表面２ｈは、平らであることが好ましい。
【００２１】
収納キャビネット１は、更に、対向する横パネル２ｃ〜２ｆの間の空間６で前後方向Ａ３に出し入れされるトレイ４を有している。図１では、横パネル２ｄ、２ｅ間に配置されるトレイ４及び横パネル２ｅ、２ｆ間に配置されるトレイ４を省略している。
【００２２】
対向する横パネル２ｃ〜２ｆは、トレイ４を前方から受入れるために、空間６を挟んで互いに対向する溝レール８を有している。各溝レール８は、前後方向に真っ直ぐに延びるように横パネル２ｃ〜２ｆに形成された凹部８ａを有し、この凹部８ａは、互いに上下方向Ａ１に対向する上面及び下面と、側面とを有している（図２参照）。本実施形態では、溝レール８の凹部８ａの断面は、矩形である。トレイ４の配置位置を選択することができるように、多数の溝レール８が横パネル２ｃ〜２ｆに設けられている。
【００２３】
次に、図２〜図４を参照して、横パネル２ｃ、２ｄの間に配置されるトレイ４を説明する。他の横パネル２ｄ、２ｅ、２ｆの間に配置されるトレイ４は、横パネル２ｃ、２ｄの間に配置されるトレイ４と同様であるので、その説明を省略する。
【００２４】
図２に示すように、トレイ４は、前壁１０ａ、後壁１０ｂ、左壁１０ｃ、右壁１０ｄ及び底壁１０ｅからなる容器部１０を有している。左壁１０ｃ及び右壁１０ｄはそれぞれ、横パネル２ｃ、２ｄに面する側面１０ｆ、１０ｇを有している。トレイ４はまた、左壁１０ｃの側面１０ｆから左方に突出する左突起部１２と、右壁１０ｄの側面１０ｇから右方に突出する右突起部１４とを有している。図３に示すように、左壁１０ｃから右壁１０ｄまでの外寸法Ｗ１は、対向する横パネル２ｃ、２ｄの間に入るようにそれらの間の内寸法Ｗ２よりも小さく、前壁１０ａの左右方向寸法Ｗ３は、対向する横パネル２ｃ、２ｄの間の内寸法Ｗ２よりも大きい。左突起部１２及び右突起部１４は、溝レール８に前後方向Ａ３に挿入されるように構成されている。また、左突起部１２から右突起部１４までの外寸法Ｗ４は、前側から後側に向かつて小さくなっている。左突起部１２と右突起部１４とは、左右対称に構成されているので、以下、右突起部１４についてのみ説明する。
【００２５】
図３及び４に示すように、右突起部１４は、上下方向Ａ１に突張ることによって溝レール８の上面８ｂ及び下面８ｃに係止可能な係止部１６ａ、１６ｂを、前後方向Ａ３に２箇所有している。詳細には、右突起部１４は、右壁１０ｄの後部に連結された後側固定部分１８ａと、右壁１０ｄと間隔をおいて後側固定部分１８ａから前方斜め上方に延び且つ後側固定部分１８ａに対して上下方向Ａ１に撓み可能な後側撓み部分２０ａと、後側撓み部分２０ａの前方において右壁１０ｄに連結された前側固定部分１８ｂと、右壁１０ｄと間隔をおいて前側固定部分１８ｂから前方斜め上方に延び且つ前側固定部分１８ｂに対して上下方向に撓み可能な前側撓み部分２０ｂと、前側撓み部分２０ｂの前方において右壁及び前壁に連結された前壁固定部分１８ｃとを有している。後側固定部分１８ａ及び後側撓み部分２０ａは、後側の係止部１６ａに対応し、前側固定部分１８ｂ及び前側撓み部分２０ｂは、前側の係止部１６ｂに対応する。
【００２６】
図４に示すように、後側固定部分１８ａ及び前側固定部分１８ｂは各々、その上下方向寸法Ｈ１が溝レール８の凹部８ａの上下方向寸法Ｈ２よりも小さく、右突起部１４が溝レール８に挿入されたときに溝レール８の下面８ｃに押付けられる下面２２を有している。後側撓み部分２０ａ及び前側撓み部分２０ｂはそれぞれ、右突起部１４が溝レール８に挿入されたときに溝レール８の上面８ｂに押付けられる上面２４を有している。また、右突起部１４が溝レール８に挿入されていないとき、後側固定部分１８ａ及び前側固定部分１８ｂの下面２２から後側撓み部分２０ａ及び前側撓み部分２０ｂの上面２４までの上下方向寸法Ｈ３は、溝レール８の凹部８ａの上下方向寸法Ｈ２よりも大きい。かくして、右突起部１４が溝レール８に挿入されたとき、後側係止部１６ａ及び前側係止部１６ｂは各々、溝レール８内で上下方向Ａ１に突張ることが可能であり、トレイ４を溝レール８に係止させるための係止力を生じさせる。
【００２７】
また、前側撓み部分２０ｂは、前側固定部分１８ｂに対して左右方向Ａ２に撓み可能であることが好ましく、且つ、右突起部１４が溝レール８に挿入されたときに溝レール８の凹部８ａの側面８ｄに押付けられることが好ましい。
【００２８】
また、前側撓み部分２０ｂが前側固定部分１８ｂから斜め上方に延びる傾斜角度θｂは、後側撓み部分２０ａが後側固定部分１８ａから斜め上方に延びる傾斜角度θａよりも大きいことが好ましい。かくして、前側の係止部１６ｂの突張りによる係止力は、後側の係止部１６ａの突張りによる係止力よりも大きい。
【００２９】
また、トレイ４の後端１１ｂから後側の係止部１６ａ（後側撓み部分２０ａの上面２４）までの前後方向距離Ｌ１は、トレイ４の前端１１ａから前側の係止部１６ｂ（前側撓み部分２０ｂの上面２４）までの前後方向距離Ｌ２よりも長いことが好ましい。
【００３０】
次に、トレイの出し入れ動作を説明する。
【００３１】
トレイ４を入れるとき、左突起部１２及び右突起部１４の後側固定部分１８ａを溝レール８に挿入する。後側固定部分１８ａの上下方向寸法Ｈ１が溝レール８の凹部８ａの上下方向寸法Ｈ２よりも小さいので、トレイはスムーズに移動する。
【００３２】
後側撓み部分２０ａを溝レール８に押し入れると、後側撓み部分２０ａが後側固定部分１８ａに対して下方に撓み、後側固定部分１８ａの下面２２が溝レール８の下面８ｃに押付けられ、後側撓み部分２０ａの上面２４が溝レール８の上面８ｂに押付けられ、それにより、後側係止部１６ａの突張りによる係止力がトレイ４に働く。しかしながら、後側の係止部１６ａの突張りによる係止力は比較的小さいので、トレイ４を押すことによって、トレイ４を容易に移動させることができる。
【００３３】
トレイを更に押し入れると、前側撓み部分２０ｂが前側固定部分１８ｂに対して下方に撓み、前側固定部分１８ｂの下面２２が溝レール８の下面８ｃに押付けられ、前側撓み部分２０ｂの上面２４が溝レール８の上面８ｂに押付けられ、それにより、前側係止部１６ｂの突張りによる係止力がトレイ４に働く。後側の係止部１６ａの突張り及び前側の係止部１６ｂの突張りにより、トレイ４は、がたつきなしにトレイに係止される。後側の係止部１６ａの突張りによる係止力は比較的大きいので、トレイ４は、溝レール８にしっかりと係止される。トレイ４を少し強めに押すことによって、トレイ４の前壁４ａが横パネル４ｃ、４ｄに当接するまで、トレイ４を移動させることができる。
【００３４】
トレイ４を出すときは、トレイ４を入れるときの押す動作を引く動作に置き換えれば良い。
【００３５】
上述した収納キャビネット１では、後側の係止部１６ａ及び前側の係止部１６ｂが、前後方向の２箇所で溝レール８に突張るので、トレイ４を溝レール８にがたつきなしに係止させることができる。それにより、従来技術の収納キャビネット５０の背面パネル５４に設けられていた凸部６２が不要になり、背面パネル２ｇの表面２ｈを平らにすることができる。その結果、収納キャビネット１の収納スペースを増大させることができ、外観上も余計なラインが消え好ましい。
【００３６】
また、上述した収納キャビネット１では、２箇所の係止部１６ａ、１６ｂを有しているので、従来の収納キャビネットの合計の係止力を、各係止部１６ａ、１６ｂに分配することができる。そのため、トレイ４を入れたり出したりするとき、トレイ４が急に動き出すことを防止することができる。
【００３７】
更に、後側の係止部１６ａの係止力を比較的弱くし、前側の係止部１６ｂの係止力を比較的強くしているので、トレイ４を入れたり出したりする動作を、係止力が比較的弱い状態で行うことができ、トレイ４を完全に入れた状態では、従来の収納キャビネットと同様の係止力で、トレイ４をしっかりと溝レール８に係止させることができる。また、トレイ４の後端１１ｂから後側の係止部１６ａまでの前後方向距離Ｌ１を、トレイ４の前端１１ａから前側の係止部１６ｂまでの前後方向距離Ｌ２よりも長くしているので、前側の係止部１６ｂの係止力が働かない状態でトレイ４を移動させる割合を増やし、トレイ４の出し入れが更にスムーズになる。したがって、例えばトレイ４を外すとき、トレイ４を勢い余って落としてしまうことがなくなる。
【００３８】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００３９】
上記実施形態では、本発明の収納ユニットの一例として洗面化粧台用の収納キャビネットを説明したが、本発明の収納ユニットは、それに限定されない。例えば、収納ユニットは、その他の収納用の箱、棚等であってもよいし、上述したトレイを使用する冷蔵庫等であってもよい。
【００４０】
左突起部１２及び右突起部１４にそれぞれ、２つの係止部１６ａ，１６ｂを設けたが、係止部を３つ以上設けてもよい。
【００４１】
また、上記実施形態では、係止部１６ａ、１６ｂを固定部分１８ａ、１８ｂと撓み部分２０ａ、２０ｂとして構成したけれども、突起部１２、１４を突張るように溝レール８に係止できれば、その他の構造であってもよい。
【図面の簡単な説明】
【００４２】
【図１】本発明の実施形態による収納キャビネットの斜視図である。
【図２】トレイの斜視図である。
【図３】トレイの平面図である。
【図４】トレイの側面図である。
【図５】従来技術の収納キャビネットの部分的な斜視図である。
【符号の説明】
【００４３】
１  収納キャビネット（収納ユニット）
２ｃ  ２ｆ  横パネル
４  トレイ
６  空間
Ａ１  上下方向
Ａ２  左右方向
Ａ３  前後方向
８  溝レール
８ｂ  上面
８ｃ  下面
１０ｇ  側面
１１ａ  前端
１１ｂ  後端
１２  左突起部
１４  右突起部
１６ａ  後側の係止部
１６ｂ  前側の係止部
１８ａ  後側固定部分
１８ｂ  後側撓み部分
２０ａ  前側固定部分
２０ｂ  前側撓み部分
θａ、θｂ  傾斜角度
【図１】
2008125635.tif 000003
【図２】
2008125635.tif 000004
【図３】
2008125635.tif 000005
【図４】
2008125635.tif 000006
【図５】
2008125635.tif 000007